(57)【要約】【課題】少ない消費電力で大きなゲインを得られるミキサ回路を提供する。【解決手段】本発明に係るミキサ回路１は、高周波信号ＲＦ（＋）・ＲＦ（−）を電流信号に変換する電圧電流変換回路１０２・１０３と、ローカル信号ＬＯ（＋）・ＬＯ（−）によってスイッチ動作することにより、高周波信号ＲＦ（＋）・ＲＦ（−）とローカル信号ＬＯ（＋）・ＬＯ（−）との混合信号を、中間周波信号ＩＦ（＋）・ＩＦ（−）として出力するスイッチ回路１０１とを備える。各電圧電流変換回路１０２・１０３は、それぞれ２つのトランジスタＭＮ１・ＭＮ９およびトランジスタＭＮ２・ＭＮ１０を備え、トランジスタＭＮ１・ＭＮ９の各ゲートには、高周波信号ＲＦ（＋）が共通で入力され、トランジスタＭＮ２・ＭＮ１０の各ゲートには、高周波信号ＲＦ（−）が共通で入力される。【選択図】図１
2010273126.tif 000002
【特許請求の範囲】
【請求項１】
第１の信号を電流信号に変換する電圧電流変換回路と、
第２の信号によってスイッチ動作することにより、上記第１の信号と上記第２の信号との混合信号を出力するスイッチ回路とを備えるミキサ回路であって、
上記電圧電流変換回路は、出力端子が上記スイッチ回路に接続される複数のトランスコンダクタを備え、
上記複数のトランスコンダクタの少なくとも１つは、出力端子が容量を介して上記スイッチ回路に接続され、
上記複数のトランスコンダクタの制御端子に、上記第１の信号が共通で入力されることを特徴とするミキサ回路。
【請求項２】
上記電圧電流変換回路を複数備え、
各電圧電流変換回路は、互いに異なる位相の上記第１の信号を電流信号に変換することを特徴とする請求項１に記載のミキサ回路。
【請求項３】
上記スイッチ回路を複数備え、
各スイッチ回路に、互いに異なる位相の上記第２の信号が入力されることを特徴とする請求項１または２に記載のミキサ回路。
【請求項４】
上記複数のトランスコンダクタの少なくとも１つは、出力端子にインピーダンス素子が接続されていることを特徴とする請求項１、２または３に記載のミキサ回路。
【請求項５】
ダブルバランストミキサであることを特徴とする請求項１〜４のいずれか１項に記載のミキサ回路。
【請求項６】
請求項１〜５のいずれか１項に記載のミキサ回路を備えていることを特徴とする無線機器。
【発明の詳細な説明】
【技術分野】
【０００１】
本発明は、無線受信機などに用いられるミキサ回路に関する。
【背景技術】
【０００２】
無線受信機では、ミキサ回路を用いて、アンテナで受信した高周波無線信号を変調および復調の容易な低周波信号（ベースバンド信号）に周波数変換する。通常、ミキサ回路は、入力電圧信号を電流に変換し、電流の方向を切り替えることで、周波数変換を行う。広く用いられているミキサ回路として、ギルバート型のミキサ回路がある（例えば、特許文献１）。
【０００３】
図７は、一般的なギルバート型のミキサ回路１００を示す回路図である。
【０００４】
ミキサ回路１００は、２つの抵抗Ｒ１・Ｒ２、６つのＮチャネルＭＯＳトランジスタＭＮ１〜ＭＮ６を備えている。トランジスタＭＮ１・ＭＮ２の各ゲートには、それぞれ正相の高周波信号ＲＦ（＋）および逆相の高周波信号ＲＦ（−）が入力される。これにより、トランジスタＭＮ１・ＭＮ２はそれぞれ、高周波信号を電流信号に変換する電圧電流変換回路を構成する。
【０００５】
また、トランジスタＭＮ３・ＭＮ４、ならびにトランジスタＭＮ５・ＭＮ６は、それぞれ差動対を構成しており、これらの差動対は互いに交差接続されている。また、抵抗Ｒ１・Ｒ２は、これらの差動対の共通の負荷抵抗である。トランジスタＭＮ３・ＭＮ４の各ドレインは、抵抗Ｒ１を介して電源ＶＤＤに接続され、トランジスタＭＮ５・ＭＮ６の各ドレインは、抵抗Ｒ２を介して電源ＶＤＤに接続される。トランジスタＭＮ３〜ＭＮ６は、電圧電流変換回路からの電流信号をローカル信号ＬＯ（＋）・ＬＯ（−）に応じてスイッチ動作するスイッチ回路１０１を構成している。トランジスタＭＮ３・ＭＮ６の各ゲートには、正相のローカル信号ＬＯ（＋）が印加され、トランジスタＭＮ４・ＭＮ５の各ゲートには、逆相のローカル信号ＬＯ（−）が印加される。これにより、トランジスタＭＮ３・ＭＮ５およびトランジスタＭＮ４・ＭＮ６は、それぞれ同期スイッチとしてスイッチ動作する。その結果、入力信号である高周波信号ＲＦ（＋）・ＲＦ（−）とローカル信号ＬＯ（＋）・ＬＯ（−）との乗算結果が、中間周波信号ＩＦ（＋）・ＩＦ（−）として出力される。
【０００６】
しかしながら、図８に示すように、ミキサ回路１００では、トランジスタＭＮ３・ＭＮ４の差動対と接地との間、およびトランジスタＭＮ５・ＭＮ６の差動対と接地との間に、それぞれ寄生容量Ｃｐ１および寄生容量Ｃｐ２が発生する。ミキサ回路１００に高周波信号を入力すると、寄生容量Ｃｐ１・Ｃｐ２に起因するインピーダンス低下によって高周波電流がリークすることにより、トランジスタＭＮ１およびトランジスタＭＮ２のゲインが低下するという問題を生じる。
【０００７】
この問題を解決する技術が、非特許文献１に開示されている。図９は、非特許文献１に記載の技術を採用したミキサ回路２００の構成を示す回路図である。
【０００８】
ミキサ回路２００は、図７に示すミキサ回路１００において、２つのＮチャネルＭＯＳトランジスタＭＮ７・ＭＮ８、２つの容量Ｃ１・Ｃ２および２つのインダクタＬ１・Ｌ２をさらに備えた構成である。２つのトランジスタＭＮ１・ＭＮ２は、それぞれ容量Ｃ１・Ｃ２を介してトランジスタＭＮ３・ＭＮ４の差動対およびトランジスタＭＮ５・ＭＮ６の差動対に接続されている。また、インダクタＬ１・Ｌ２は、それぞれトランジスタＭＮ１・ＭＮ２の各ドレインと電源ＶＤＤとの間に設けられている。
【０００９】
トランジスタＭＮ７は、トランジスタＭＮ３・ＭＮ４の差動対と接地との間で、容量Ｃ１およびトランジスタＭＮ１の直列回路と並列接続される。また、トランジスタＭＮ８は、トランジスタＭＮ５・ＭＮ６の差動対と接地との間で、容量Ｃ２およびトランジスタＭＮ２の直列回路と並列接続される。トランジスタＭＮ７・ＭＮ８の各ゲートには、バイアス電圧Ｖｂｉａｓが印加される。これにより、トランジスタＭＮ７・ＭＮ８は、スイッチ回路１０１の電流源となる。
【００１０】
ミキサ回路２００では、インダクタＬ１・Ｌ２を用いることで高周波でのインピーダンスの低下を防止している。これにより、ミキサ回路２００のゲイン低下を抑制している。
【先行技術文献】
【特許文献】
【００１１】
【特許文献１】特開２０００−１３７５３７号公報（２０００年５月１６日公開）
【非特許文献】
【００１２】
【非特許文献１】Chih-Chun TANG et. al.，"A 2.4GHz Low Voltage CMOS Down-Conversion Double-Balanced Mixer"，IEICE Trans. Electron.，Vol.E-84C，No.8，pp.1084-1091
【発明の概要】
【発明が解決しようとする課題】
【００１３】
通常、ミキサ回路のゲインは、高周波信号が入力されるトランジスタのＧｍ値と負荷抵抗の抵抗値との積に応じて決定される。トランジスタのＧｍ値はトランジスタに与える電流値に対して単調に増加する。
【００１４】
ここで、図９に示すミキサ回路２００では、入力信号を処理しないトランジスタＭＮ７・ＭＮ８に与える電流が存在する。このため、図７に示すミキサ回路１００と比較して、同じＧｍ値を得ようとする場合、上記のトランジスタＭＮ７・ＭＮ８に与える電流がさらに必要になる。したがって、ミキサ回路２００の消費電力は、ミキサ回路１００の消費電力と比べて大きくなるという問題がある。
【００１５】
本発明は、上記の問題点を解決するためになされたもので、その目的は、少ない消費電力で大きなゲインを得られるミキサ回路を実現することにある。
【課題を解決するための手段】
【００１６】
上記の課題を解決するために、本発明に係るミキサ回路は、第１の信号を電流信号に変換する電圧電流変換回路と、第２の信号によってスイッチ動作することにより、上記第１の信号と上記第２の信号との混合信号を出力するスイッチ回路とを備えるミキサ回路であって、上記電圧電流変換回路は、出力端子が上記スイッチ回路に接続される複数のトランスコンダクタを備え、上記複数のトランスコンダクタの少なくとも１つは、出力端子が容量を介して上記スイッチ回路に接続され、上記複数のトランスコンダクタの制御端子に、上記第１の信号が共通で入力されることを特徴としている。
【００１７】
上記の構成によれば、電圧電流変換回路は複数のトランスコンダクタを備え、複数のトランスコンダクタの制御端子に第１の信号が共通で入力される。これにより、トランスコンダクタは、第１の信号を電流信号に変換するとともに、電流源としても機能する。ここで、従来構成では、トランスコンダクタを電流源として使用するために、トランスコンダクタにバイアス電圧を印加していたが、上記の構成では、バイアス電圧が不要となる。したがって、少ない消費電力で大きなゲインを得られるミキサ回路を実現できるという効果を奏する。
【００１８】
本発明に係るミキサ回路では、上記電圧電流変換回路を複数備え、各電圧電流変換回路は、互いに異なる位相の上記第１の信号を電流信号に変換する構成であってもよい。
【００１９】
本発明に係るミキサ回路では、上記スイッチ回路を複数備え、各スイッチ回路に、互いに異なる位相の上記第２の信号が入力される構成であってもよい。
【００２０】
本発明に係るミキサ回路では、上記複数のトランスコンダクタの少なくとも１つは、出力端子にインピーダンス素子が接続されていることが好ましい。
【００２１】
上記の構成によれば、インピーダンス素子が、高周波信号を扱う場合に発生する寄生容量によるインピーダンス低下を防止するので、ミキサ回路のゲイン低下を抑制することができる。
【００２２】
本発明に係るミキサ回路では、ダブルバランストミキサであってもよい。
【００２３】
本発明に係る無線機器は、上記のミキサ回路を備えていることを特徴としている。
【００２４】
上記の構成によれば、消費電力の少ない無線機器を実現できる。
【発明の効果】
【００２５】
本発明に係るミキサ回路は、第１の信号を電流信号に変換する電圧電流変換回路と、第２の信号によってスイッチ動作することにより、上記第１の信号と上記第２の信号との混合信号を出力するスイッチ回路とを備えるミキサ回路であって、上記電圧電流変換回路は、出力端子が上記スイッチ回路に接続される複数のトランスコンダクタを備え、上記複数のトランスコンダクタの少なくとも１つは、出力端子が容量を介して上記スイッチ回路に接続され、上記複数のトランスコンダクタの制御端子に、上記第１の信号が共通で入力されるので、少ない消費電力で大きなゲインを得られるミキサ回路を実現できるという効果を奏する。
【図面の簡単な説明】
【００２６】
【図１】本発明の第１の実施形態に係るミキサ回路の構成を示す回路図である。
【図２】（ａ）は、図１に示すミキサ回路の出力波形を示すグラフであり、（ｂ）は、従来のミキサ回路の出力波形を示すグラフである。
【図３】図１に示すミキサ回路および従来のミキサ回路の各出力波形の一部を重ねて表示したグラフである。
【図４】本発明の第１の実施形態の変形例に係るミキサ回路の構成を示す回路図である。
【図５】本発明の第１の実施形態の他の変形例に係るミキサ回路の構成を示す回路図である。
【図６】本発明の第２の実施形態に係るテレビ受信機の概略構成を示すブロック図である。
【図７】一般的なギルバート型のミキサ回路を示す回路図である。
【図８】一般的なギルバート型のミキサ回路を示す回路図である。
【図９】従来のミキサ回路の構成を示す回路図である。
【発明を実施するための形態】
【００２７】
〔実施形態１〕
本発明の第１の実施形態について図１〜図５に基づいて説明すれば以下のとおりである。
【００２８】
図１は、本実施形態に係るミキサ回路１の構成を示す回路図である。ミキサ回路１は、図９に示すミキサ回路２００において、トランジスタＭＮ７・ＭＮ８をトランジスタＭＮ９・ＭＮ１０に置き換え、高周波信号（第１の信号）ＲＦ（＋）が、トランジスタＭＮ１およびトランジスタＭＮ９の各ゲート（制御端子）に共通で入力され、高周波信号（第１の信号）ＲＦ（−）が、トランジスタＭＮ２およびトランジスタＭＮ１０の各ゲート（制御端子）に共通で入力される構成としたものである。
【００２９】
２つのトランジスタＭＮ１・ＭＮ９は、高周波信号ＲＦ（＋）を電流信号に変換する電圧電流変換回路１０２を構成する。トランジスタＭＮ９のドレイン（出力端子）は、トランジスタＭＮ３・ＭＮ４のソースに接続され、トランジスタＭＮ１のドレイン（出力端子）は、容量Ｃ１を介してトランジスタＭＮ３・ＭＮ４のソースに接続される。また、２つのトランジスタＭＮ２・ＭＮ１０は、高周波信号ＲＦ（−）を電流信号に変換する電圧電流変換回路１０３を構成する。トランジスタＭＮ１０のドレイン（出力端子）は、トランジスタＭＮ５・ＭＮ６のソースに接続され、トランジスタＭＮ２のドレイン（出力端子）は、容量Ｃ２を介してトランジスタＭＮ５・ＭＮ６のソースに接続される。また、トランジスタＭＮ１・ＭＮ２・ＭＮ９・ＭＮ１０の各ソースは、ローレベルの電源（ＧＮＤ）に接続される。これにより、電圧電流変換回路１０２の出力電流は、トランジスタＭＮ３・ＭＮ４の差動対に出力され、電圧電流変換回路１０３の出力電流は、トランジスタＭＮ５・ＭＮ６の差動対に出力される。
【００３０】
また、トランジスタＭＮ１・ＭＮ９の各ドレインには、それぞれインダクタＬ１・Ｌ２が接続されている。これにより、電圧電流変換回路１０２・１０３のゲイン低下を抑制している。トランジスタＭＮ３〜ＭＮ６で構成されるスイッチ回路１０１は、ローカル信号（第２の信号）ＬＯ（＋）・ＬＯ（−）によってスイッチ動作することにより、高周波信号ＲＦ（＋）・ＲＦ（−）とローカル信号ＬＯ（＋）・ＬＯ（−）との乗算結果（混合信号）を、中間周波信号ＩＦ（＋）・ＩＦ（−）として出力する。スイッチ回路１０１の構成は、図９に示すミキサ回路２００におけるものと同一であるので、本実施形態では詳細な説明を省略する。
【００３１】
図９に示すミキサ回路２００では、トランジスタＭＮ７・ＭＮ８のゲートにバイアス電圧Ｖｂｉａｓを印加することにより、トランジスタＭＮ７・ＭＮ８を電流源として使用していた。これに対し、本実施形態に係るミキサ回路１では、電圧電流変換回路１０２を構成する２つのトランジスタＭＮ１・ＭＮ９のゲートに、同一の高周波信号ＲＦ（＋）が入力され、電圧電流変換回路１０２を構成する２つのトランジスタＭＮ２・ＭＮ１０のゲートに、同一の高周波信号ＲＦ（−）が入力される。これにより、トランジスタＭＮ９・ＭＮ１０は、それぞれ高周波信号ＲＦ（＋）・ＲＦ（−）を電流に変換するとともに、電流源としても機能する。
【００３２】
したがって、ミキサ回路１では、ミキサ回路２００における電圧電流変換回路のゲインと同等のゲインをより少ない消費電力で得ることができる。
【００３３】
続いて、本実施形態に係るミキサ回路１と従来のミキサ回路２００とを比較するため、ミキサ回路１およびミキサ回路２００に、同一の高周波信号およびローカル信号を入力して、出力信号の波形を測定した。高周波信号は、振幅１００ｍＶ，周波数１０ＧＨｚの正弦波を使用し、ローカル信号は、振幅８００ｍＶ，周波数１０．１ＧＨｚの正弦波を使用した。その結果を図３に示す。
【００３４】
図２（ａ）は、ミキサ回路１の出力波形を示すグラフであり、図２（ｂ）は、ミキサ回路２００の出力波形を示すグラフである。ミキサ回路１の出力信号およびミキサ回路２００の出力信号は、ともに周波数が１００ＭＨｚであった。これに対し、振幅は、ミキサ回路１の出力信号が３２３．６ｍＶであり、ミキサ回路２００の出力信号が３２２．１ｍＶであった。すなわち、ミキサ回路１のゲインは３．２３６倍であるのに対し、ミキサ回路１のゲインは３．２２１倍であった。
【００３５】
図３は、ミキサ回路１およびミキサ回路２００の各出力波形の一部を重ねて表示したグラフである。実線がミキサ回路１の出力波形であり、破線がミキサ回路２００の出力波形である。図３のグラフから、ミキサ回路１の出力信号の振幅が、ミキサ回路２００の出力信号の振幅よりも１．５ｍＶ大きいことが確認できる。また、ミキサ回路２００の消費電流が１３．１６ｍＡであるのに対し、ミキサ回路１の消費電流は１０．６９ｍＡであった。これらの結果より、本実施形態に係るミキサ回路１は、従来のミキサ回路２００と比較して、より少ない消費電流で同等のゲインを得られることを確認した。
【００３６】
以上のように、本実施形態では、ミキサ回路がダブルバランストミキサである場合の構成例を示したが、本発明は、シングルエンドミキサなどのダブルバランストミキサ以外のミキサにも適用できる。
【００３７】
図４は、本実施形態の変形例に係るミキサ回路２の構成を示す回路図である。ミキサ回路２は、シングルエンドミキサであり、図１に示すミキサ回路１において、スイッチ回路１０１をスイッチ回路１０４に置き換え、電圧電流変換回路１０２・１０３を電圧電流変換回路１０５に置き換えた構成である。
【００３８】
スイッチ回路１０４は、２つのトランジスタＭＮ１１・ＭＮ１２の差動対で構成されており、トランジスタＭＮ１１のゲートには、正相のローカル信号ＬＯ（＋）が印加され、トランジスタＭＮ１２のゲートには、逆相のローカル信号ＬＯ（−）が印加される。
【００３９】
電圧電流変換回路１０５は、２つのトランジスタＭＮ１３・ＭＮ１４で構成されている。トランジスタＭＮ１４のドレインは、トランジスタＭＮ３・ＭＮ４のソースに接続され、トランジスタＭＮ１３のドレインは、容量Ｃ１を介してトランジスタＭＮ３・ＭＮ４のソースに接続される。
【００４０】
トランジスタＭＮ１３・ＭＮ１４の各ゲートには、同一の高周波信号ＲＦ（＋）が入力される。これにより、電圧電流変換回路１０５は、高周波信号ＲＦ（＋）を電流信号に変換してスイッチ回路１０４に出力する。このとき、トランジスタＭＮ１４は、電流源としても機能するので、少ない消費電力で大きなゲインを得ることができる。
【００４１】
本実施形態では、電圧電流変換回路を１つ又は２つ備えるミキサ回路について説明したが、電圧電流変換回路を３つ以上設けてもよい。この場合、各電圧電流変換回路には、互いに異なる位相の高周波信号が入力される。また、スイッチ回路を複数設けてもよく、この場合、各スイッチ回路には、互いに異なる位相のローカル信号が入力される。
【００４２】
また、電圧電流変換回路を構成する複数のトランジスタを選択的に切り替えることにより、ミキサ回路のゲインを可変としてもよい。図５は、本実施形態の他の変形例に係るミキサ回路３の構成を示す回路図である。ミキサ回路３は、図４に示すミキサ回路２において、電圧電流変換回路１０５を電圧電流変換回路１０６に置き換えた構成である。電圧電流変換回路１０６は、４つのトランジスタＭＮ１３〜ＭＮ１６を備えている。トランジスタＭＮ１３のドレインは、容量Ｃ１を介してトランジスタＭＮ３・ＭＮ４のソースに接続され、トランジスタＭＮ１４〜ＭＮ１６のドレインは、それぞれスイッチＳＷ１〜ＳＷ３を介してトランジスタＭＮ３・ＭＮ４のソースに接続される。
【００４３】
トランジスタＭＮ１３〜ＭＮ１６の各ゲートには、同一の高周波信号ＲＦ（＋）が入力される。ここで、トランジスタＭＮ１４〜ＭＮ１６は、互いにＧｍ値が異なっており、スイッチＳＷ１〜ＳＷ３のいずれかを導通させることにより、ミキサ回路３のゲインを切り替えることができる。なお、図５では、トランジスタＭＮ１４〜ＭＮ１６のドレイン側にスイッチＳＷ１〜ＳＷ３がそれぞれ設けられているが、スイッチＳＷ１〜ＳＷ３をトランジスタＭＮ１４〜ＭＮ１６のソース側に設ける構成としてもよい。
【００４４】
本実施形態では、電圧電流変換回路の負荷としてインダクタを用いているが、インダクタの代わりに、抵抗や電流源などのインピーダンス素子を用いてもよい。また、電圧電流変換回路の負荷として、インダクタ、抵抗、容量および電流源の少なくともいずれかを組み合わせたインピーダンス素子を用いてもよい。
【００４５】
また、本実施形態では、スイッチ回路の負荷として、抵抗を用いているが、抵抗の代わりに、抵抗や電流源を用いてもよい。また、スイッチ回路の負荷として、インダクタ、抵抗、容量および電流源の少なくともいずれかを組み合わせた負荷を用いてもよい。
【００４６】
また、本実施形態では、トランスコンダクタ素子としてＭＯＳＦＥＴを使用するミキサ回路について説明したが、ミキサ回路のトランスコンダクタ素子として、バイポーラトランジスタ等のＭＯＳＦＥＴ以外のトランスコンダクタ素子を使用してもよい。
【００４７】
また、本実施形態では、ミキサ回路がシングルエンドミキサおよびダブルバランストミキサである場合の構成例を示したが、本発明は、イメージ除去ミキサなどにも適用できる。
【００４８】
〔実施形態２〕
本発明の第２の実施形態について図６に基づいて説明すれば以下のとおりである。本実施形態では、本発明に係るミキサ回路を無線受信機（無線機器）に用いた例について説明する。
【００４９】
図６は、本実施形態に係るテレビ受信機１０の概略構成を示すブロック図である。テレビ受信機１０は、ＴＶ放送を受信して映像や音声を出力する、一般的に用いられているテレビ受信機であって、据え置き型のものでもよいし、携帯電話機などの携帯端末に搭載されていてもよい。テレビ受信機１０は、アンテナ１１と、低雑音増幅回路１２と、ＲＦフィルタ回路１３と、ミキサ回路１４と、ＩＦフィルタ回路１５と、可変増幅回路１６とを少なくとも備えている。
【００５０】
アンテナ１１は、ＴＶ放送を受信して、その受信信号を低雑音増幅回路１２へ入力する。低雑音増幅回路１２は、アンテナ１１から入力された信号を増幅し、この増幅信号をＲＦフィルタ回路１３に入力する。ＲＦフィルタ回路１３は、低雑音増幅回路１２から入力された信号に対しフィルタ動作を行い、受信希望帯域の信号以外の信号を抑制する。
【００５１】
ミキサ回路１４は、ＲＦフィルタ回路１３から出力された信号を、局部発振回路（不図示）から出力されたローカル信号を用いて周波数変換する。本実施形態では、このミキサ回路１４として、第１の実施形態に係るミキサ回路１〜３を用いる。
【００５２】
ＩＦフィルタ回路１５は、ミキサ回路１４から出力された信号から不要な周波数成分を除去し、可変増幅回路１６に信号を入力する。可変増幅回路１６は、ＩＦフィルタ回路１５から出力された信号を増幅する。可変増幅回路１６から出力された信号は、後段の回路（不図示）にてさらに復調、データ処理が行われ、表示ディスプレイにて映像が表示され、スピーカから音声が出力される。
【００５３】
本実施形態に係るテレビ受信機１０は、ミキサ回路として第１の実施形態に係るミキサ回路を使用している。上述のように、第１の実施形態に係るミキサ回路は、少ない消費電力で大きなゲインを得られるため、テレビ受信機１０の消費電力を従来構成に比べて削減できる。
【００５４】
〔実施形態の総括〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５５】
本発明に係るミキサ回路は、テレビ受信機に限らず、携帯電話、トランシーバ、衛星放送受信器などの他の無線機器にも利用することができる。
【符号の説明】
【００５６】
１        ミキサ回路
２        ミキサ回路
３        ミキサ回路
１４      ミキサ回路
２００    ミキサ回路
１０      テレビ受信機（無線機器）
１０１    スイッチ回路
１０２    電圧電流変換回路
１０３    電圧電流変換回路
１０４    スイッチ回路
１０５    電圧電流変換回路
１０６    電圧電流変換回路
Ｃ１      容量
Ｃ２      容量
Ｌ１      インダクタ（インピーダンス素子）
Ｌ２      インダクタ（インピーダンス素子）
ＭＮ１    トランジスタ（トランスコンダクタ）
ＭＮ２    トランジスタ（トランスコンダクタ）
ＭＮ９    トランジスタ（トランスコンダクタ）
ＭＮ１０  トランジスタ（トランスコンダクタ）
ＭＮ１３  トランジスタ（トランスコンダクタ）
ＭＮ１４  トランジスタ（トランスコンダクタ）
ＭＮ１５  トランジスタ（トランスコンダクタ）
ＭＮ１６  トランジスタ（トランスコンダクタ）
【図１】
2010273126.tif 000003
【図２】
2010273126.tif 000004
【図３】
2010273126.tif 000005
【図４】
2010273126.tif 000006
【図５】
2010273126.tif 000007
【図６】
2010273126.tif 000008
【図７】
2010273126.tif 000009
【図８】
2010273126.tif 000010
【図９】
2010273126.tif 000011